(57)【要約】【課題】顧客のその時々の生体情報を基に、調理に関する情報を提供すると共に加熱調理器に加熱情報を送信し、自動調理化して利便性を向上させること。【解決手段】血圧などの生体情報を測定する在宅ヘルスケア機器５と、加熱調理器４ａなどの家電機器４とが接続された宅内ネットワークシステムにおいて、在宅ヘルスケア機器５から顧客の生体情報を宅内ネットワークを介して取得すると共に、顧客が入力手段１ａで入力した年齢などの個人情報を定期的にインターネット３を介して宅外のサービスセンター７に送出する機能と、これを受けたサービスセンター７から配信される蓄積された顧客の生体情報を基に、その時々の顧客の健康状態に合わせて提案された調理情報と加熱制御情報をインターネット３を介して受信する機能及び調理情報を表示手段１ｂに、加熱制御情報を加熱調理器４ａに転送する機能を持たせた集中制御装置１を設ける。【選択図】  図１
2004164442.tif 000002
【特許請求の範囲】
【請求項１】
血圧、体重、体脂肪、尿糖値などの生体情報を測定する在宅ヘルスケア機器（５）と、加熱調理器（４ａ）や冷蔵庫（４ｂ）などの家電機器（４）とが接続された宅内ネットワークシステムにおいて、入力手段（１ａ）および表示手段（１ｂ）、インターネット接続手段２とを備え、在宅ヘルスケア機器５から顧客の生体情報を宅内ネットワークを介して自動的に取得し、インターネット（３）を介して、顧客が入力手段（１ａ）で入力した年齢、身長などの個人情報とともに定期的にインターネット（３）に接続された宅外のサービスセンター（７）に送出する機能と、これを受けたサービスセンター（７）から配信される蓄積された顧客の生体情報を基に、その時々の顧客の健康状態に合わせて提案された調理情報とこれに応じた加熱調理器（４ａ）の制御情報をインターネット（３）を介して受信し、調理情報を表示手段（１ｂ）に表示するとともに、加熱制御情報を加熱調理器（４ａ）に転送する機能を持たせた集中制御装置（１）を設けたことを特徴とする宅内ネットワークシステム。
【発明の詳細な説明】
【０００１】
【発明の属する技術分野】
本発明は、血圧、体重、体脂肪、尿糖値などを測定する在宅ヘルスケア機器と加熱調理器を含む複数の家電機器とが接続された宅内ネットワークシステムに関するものである。
【０００２】
【従来の技術】
【特許文献】特開２００１−３３８０７１号公報
【特許文献】特開２００２−１３２８９０号公報
従来、毎日の献立を決めるのに頭を悩ませる人は多く、ましてや自分の健康状態に合わせた献立となると、医学や栄養学の専門家でない人にとっては容易なものではなかった。
【０００３】
インターネットを利用した健康維持に関する例としては、特開２００１−３３８０７１号公報に示されるように利用者宅に設置した健康診断装置からインターネットを介して取得した検査結果により医師が診断や治療の通知や健康維持のためのアドバイスをする方法や、特開２００２−１３２８９０号公報に示されるようにインターネット上に設けた相談窓口に入力された利用者の制約条件に基づいて献立を提供する方法などが提案されている。
【０００４】
【発明が解決しようとする課題】
上記従来の技術にあって、特開２００１−３３８０７１号公報の方法では、主に医療に関わる情報を入手することを目的としており、料理の作り方などの利用者の食生活に直接結びついた情報を入手することは難しく、また、特開２００２−１３２８９０号公報の方法では、利用者が自分で自覚している主観的な情報をもとに献立が提案されているため、顧客の客観的な健康状態が反映されないという問題点があった。
【０００５】
【課題を解決するための手段】
上記の課題を解決するために本発明は、血圧、体重、体脂肪、尿糖値などの生体情報を測定する在宅ヘルスケア機器と、加熱調理器を含む複数の家電機器とが接続された宅内ネットワークシステムにおいて、入力手段および表示手段、インターネット接続手段とを備え、在宅ヘルスケア機器から顧客の生体情報を宅内ネットワークを介して自動的に取得し、インターネットを介して、顧客が入力手段で入力した年齢、身長などの個人情報とともに定期的にインターネットに接続された宅外のサービスセンターに送出する機能と、これを受けたサービスセンターから配信される蓄積された顧客の生体情報を基に、その時々の顧客の健康状態に合わせて提案された調理情報とこれに応じた加熱調理器の制御情報をインターネットを介して受信し、調理情報を表示手段に表示するとともに、加熱制御情報を加熱調理器転送する機能を持たせた集中制御装置を設けたものである。
【０００６】
【発明の実施の形態】
以下、本発明の実施例を図面を用いて説明する。
【０００７】
図１は本発明の一実施例を示す宅内ネットワークシステムの全体構成図で、１は宅内ネットワークの管理を行う集中制御装置である。１ａは入力手段で、顧客が必要項目をキースイッチ（図示せず）により前記集中制御装置１に入力するとき使用するものである。１ｂは表示手段で、必要に応じて前記集中制御装置１の情報を表示するところである。これら入力手段１ａと表示手段１ｂは集中制御装置１に組込まれている。
【０００８】
２はインターネット接続手段で、集中制御装置１に設けられ、通信ネットワークのインターネット３と接続しているものである。
【０００９】
４は家電機器で、食品（図示せず）を加熱する加熱調理器４ａや食品（図示せず）を低温貯蔵する冷蔵庫４ｂ、そして部屋の空調設備であるエアコン４ｃなどにより構成されている。
【００１０】
５は顧客の血圧や体重、体脂肪そして尿糖値などの生体情報を測定する在宅ヘルスケア機器である。６は宅内ネットワークの信号線となるランケーブルで、集中制御装置１や家電機器４、在宅ヘルスケア機器５などが接続されている。７はインターネット３に接続され宅外に設けられたサービスセンターで、情報の発信や受信を行う情報基地となっているところである。
【００１１】
次に、上記にて構成された本発明の動作について説明する。
【００１２】
顧客（使用者）が入力手段１ａから顧客の年齢、身長などの個人情報をあらかじめ入力しておくとともに、在宅ヘルスケア機器５を用いて顧客の血圧、体重、体脂肪、尿糖値などの生体情報を毎日１回定時刻に測定する。
【００１３】
そして、在宅ヘルスケア機器５で測定された情報は宅内ネットワークを介して集中制御装置１に送信され、この集中制御装置１から入力された生体情報をあらかじめ入力された顧客情報とともにインターネット３を介してサービスセンター７に送出する。
【００１４】
サービスセンター７では、送られてきた顧客の生体情報を蓄積しておき、その日送られてきた生体情報と蓄積されている生体情報から顧客の健康状態を判断して、データーベースの中から健康状態に合わせた献立を抽出して料理レシピおよび加熱調理器４ａの加熱制御情報とともにインターネット３を介して顧客宅の集中制御装置１へ配信する。
【００１５】
顧客は、配信された料理レシピを表示手段１ｂを用いて確認しながら食材などを準備して調理を行う。調理の途中で加熱調理器４ａを使用する場合は、集中制御装置１から加熱制御情報を加熱調理器４ａに転送し、加熱調理器４ａを動作させて食品の加熱を行う。
【００１６】
このように在宅へルスケア機器５から送られてくる生体情報を基にサービスセンター７で顧客の健康状態をチェックし、健康状態にあった料理レシピを選択し、加熱時間などの加熱条件を加熱調理器４ａに転送するとともに、食材や料理方法などは表示手段１ｂに表示させる。
【００１７】
【発明の効果】
以上説明したように本発明によれば、血圧、体重、体脂肪、尿糖値などの生体情報を測定する在宅ヘルスケア機器と、加熱調理器や冷蔵庫などの家電機器とが接続された宅内ネットワークシステムにおいて、入力手段および表示手段、インターネット接続手段とを備え、在宅ヘルスケア機器から顧客の生体情報を宅内ネットワークを介して自動的に取得し、インターネットを介して、顧客が入力手段で入力した年齢、身長などの個人情報とともに定期的にインターネットに接続された宅外のサービスセンターに送出する機能と、これを受けたサービスセンターから配信される蓄積された顧客の生体情報を基に、その時々の顧客の健康状態に合わせて提案された調理情報とこれに応じた加熱調理器の制御情報をインターネットを介して受信し、調理情報を表示手段表示するとともに、加熱制御情報を加熱調理器転送する機能を持たせた集中制御装置を設けることにより、顧客のその時々の生体情報をもとに、献立および料理レシピまでの顧客の食生活に直接結びついた情報を提供することができる。
【００１８】
また、加熱条件を加熱調理器に転送することにより自動調理を可能とし、顧客の利便性を大幅に向上することができるなどの効果がある。
【図面の簡単な説明】
【図１】本発明の一実施例を示す宅内ネットワークシステムの全体構成図である。
【符号の説明】
１・・・集中制御装置
１ａ・・入力手段
１ｂ・・表示手段
２・・・インターネット接続手段
３・・・インターネット
４・・・家電機器
４ａ・・加熱調理器
４ｂ・・冷蔵庫
５・・・在宅ヘルスケア機器
７・・・サービスセンター
【図１】
2004164442.tif 000003